(57)【要約】  空圧式動力パックは、薬剤送達デバイスのためのものである。空圧式動力パックは、加圧ガスを格納する加圧ガス容器と、ガス源から加圧ガスを解放させるための起動組立体と、を備える。起動組立体は、先鋭端部を有する破断体と、起動体と、起動体及びガス容器と連結された回転体と、を有する。起動体は、第１位置から第２位置に向けて移動するように構成され、回転体の回転を引き起こし、そして、ガス源を破断体の先鋭端部に向けて駆動して加圧ガスを解放させる。
2021525153.tif 000002
【特許請求の範囲】
【請求項１】
加圧ガスを格納する加圧ガス容器と、
ガス源から加圧ガスを解放させるための起動組立体と、
を備え、
前記起動組立体が、
先鋭端部を有する破断体と、
起動体と、
前記起動体及び前記ガス容器と連結された回転体と、
を有し、
前記起動体が、第１位置から第２位置に向けて移動するように構成され、前記回転体の回転を引き起こし、そして、前記ガス源を前記破断体の前記先鋭端部に向けて駆動して加圧ガスを解放させることを特徴とする空圧式動力パック。
【請求項２】
前記起動組立体が、前記回転体に連結された保持体をさらに有し、
前記ガス容器が、前記保持体内に配設されており、
前記起動体の軸方向移動が、前記回転体の回転を引き起こし、そして、前記保持体及び前記ガス源を前記破断体の前記先鋭端部に向けて駆動することを特徴とする請求項１に記載の空圧式動力パック。
【請求項３】
前記起動組立体が、前記保持体と連結された第１ブラケットをさらに備え、
前記第１ブラケットと前記保持体との間の連結により、前記保持体の付勢された移動が回転方向から長手方向に変換されることを特徴とする請求項２に記載の空圧式動力パック。
【請求項４】
前記第１ブラケットが、前記破断体と前記ガス源の少なくとも一部を問収容するための経路を有し、
加圧ガスの流動が、前記ガス源から前記破断体を通って進行し、前記経路から出ることを特徴とする請求項３に記載の空圧式動力パック。
【請求項５】
第２ブラケットと、前記第２ブラケット内に配設された弁と、をさらに備え、
前記弁が、前記第１ブラケットの前記経路から出るガスの流動を受けることを特徴とする請求項４に記載の空圧式動力パック。
【請求項６】
前記起動体が、第１部材を有し、
前記回転体が、前記第１部材に係合するように構成された第２部材を有し、
前記第１部材が、前記起動体の前記第１位置から前記第２位置への軸方向移動中に相互作用して前記回転体を回転させるように構成されていることを特徴とする請求項１に記載の空圧式動力パック。
【請求項７】
前記第１部材が、前記起動体の内面に配設されており、
前記第２部材が、前記回転体の外面に配設されていることを特徴とする請求項６に記載の空圧式動力パック。
【請求項８】
前記第１部材が、前記起動体の外面に配設されており、
前記第２部材が、前記回転体の内面に配設されていることを特徴とする請求項６に記載の空圧式動力パック。
【請求項９】
前記回転体が、第３部材を有し、
前記保持体が、前記第３部材に係合するように構成された第４部材を有し、
前記第３部材が、前記回転体の回転中に前記第４部材と相互作用して前記ガス源を駆動させるように構成されていることを特徴とする請求項１に記載の空圧式動力パック。
【請求項１０】
前記回転体が、第１固定部材を有し、
前記保持体が、前記起動体によって回転されて前記第１位置から第２位置へ移動する前に前記第１固定部材に係合して前記回転体の位置を維持するように構成された第２固定部材を有することを特徴とする請求項９に記載の空圧式動力パック。
【請求項１１】
主筐体と、
前記主筐体に対して軸方向に移動可能に構成された針カバーと、
前記針カバー内に配設されてストッパ及び薬剤を有する薬剤容器と、
請求項１から１０のいずれか１項に記載の空圧式動力パックと、
を備え、
前記針カバーが、前記空圧式動力パックの前記起動体と相互作用するように構成され、
前記針カバーの軸方向移動により、前記起動体を前記第１位置から前記第２位置へ移動させ、
前記空圧式動力パックが、前記ストッパに係合して加圧ガスによって近位方向で移動可能であるように構成されたプランジャをさらに有することを特徴とする薬物送達デバイス。
【請求項１２】
主筐体と、
前記主筐体内に配設されかつストッパ及び薬剤を有する薬剤容器と、
駆動パックと、
を備え、
前記駆動パックが、空圧式動力パックであり、
加圧ガスを格納する加圧ガス容器と、
ガス源から加圧ガスを解放するための起動組立体と、を備え、
前記起動組立体が、
先鋭端部を有する破断体と、
起動体と、
前記起動体及び前記ガス容器と連結された回転体と、
を有し、
前記起動体が、第１位置から第２位置へ移動可能であり、前記回転体の回転を引き起こし、それにより、前記ガス源を前記破断体の前記先鋭端部に向けて駆動して加圧ガスを解放させることを特徴とする薬物送達デバイス。
【発明の詳細な説明】
【技術分野】
【０００１】
本開示は、空圧式動力パックに、特に、薬剤送達デバイスのための空圧式動力パックに、関する。
【背景技術】
【０００２】
本明細書で別の方法で示さない限り、このセクションで説明する事項は、本願の特許請求の範囲に対する従来技術ではなく、このセクションに含まれることによって従来技術となることは認められない。
【発明の概要】
【発明が解決しようとする課題】
【０００３】
いくつかの状況において、例えば訓練済みの医療スタッフが薬物を投与する必要なく、患者が患者自身で薬物及び薬剤を投与できることが望ましい。自動機能の度合いが異なる様々な既存の送達デバイスがある。例えば、既存の自動注射デバイスは、デバイスの作動に応じてプランジャを前方に自動的に推進させて薬剤を自動注射デバイスから押し出すための手段を備える。
【課題を解決するための手段】
【０００４】
既存のデバイスにおいて、プランジャを前方に自動的に推進させて薬剤を自動注射デバイスから吐出させるための手段は、しばしば製造が複雑でありかつ製造するのに費用がかかる。さらに、いくつかのタイプの薬剤に関して、ほぼ一定の力で薬剤を吐出させることへの要望がある。しかしながら、ほぼ一定の力で薬剤を吐出させるための特定の既存のデバイスは、製造が複雑でありかつ製造するのに費用がかかる。したがって、一投与量の薬剤を吐出させるための注射デバイスの信頼性を維持しつつ自動注射デバイスを製造することへの要望がある。
【０００５】
本開示において、用語「遠位」を使用するときは、投与送達場所から離れて示す方向を言う。用語「遠位部分／端部」を使用するときは、送達デバイスの部分／端部または送達デバイスの部材の部分／端部であって薬剤送達デバイスの使用に基づいて、投与送達場所から最も離間して位置している部分／端部を言う。対応して、用語「近位」を使用するときは、投与送達場所を示す方向を言う。用語「近位部分／端部」を使用するときは、送達デバイスの部分／端部または送達デバイスの部材の部分／端部であって薬剤送達デバイスの使用に基づいて、投与送達場所に最も近接して位置している部分／端部を言う。
【０００６】
さらに、「軸」を伴うまたは伴わない用語「長手方向」は、デバイスまたはデバイスの構成部材の最長の延在方向においてデバイスまたは構成部材を通る方向または軸を言う。
【０００７】
「軸」を伴うまたは伴わない用語「横方向」は、デバイスまたは構成部材の最大幅の延在方向においてデバイスまたは構成部材を通る方向または軸を言う。「横方向」は、同様に、「長手方向」に細長い本体の側方の位置を言い得る。
【０００８】
同様の態様で、「軸」を伴うまたは伴わない用語「径方向」または「横断方向」は、長手方向に対してほぼ垂直な方向においてデバイスまたはデバイスの構成部材を通る方向を言い、例えば、「径方向外方」は、長手方向から離間するように指す方向を言う。
【０００９】
同様に、他に述べない場合には、デバイスの機械的構造及びデバイスの構成部材の機械的相互接続を説明する以下の説明において、デバイスは、初期的に非作動すなわち非動作状態にある。
【００１０】
本開示のこれら及び他の態様並びに本開示の利点は、本発明の以下の詳細な説明から及び添付の図面から明らかになる。
【００１１】
本開示の主態様によれば、この主態様は、薬剤送達デバイスのための空圧式動力パックを特徴とする。空圧式動力パックは、加圧ガスを格納する加圧ガス容器と、ガス源から加圧ガスを解放させるための起動組立体と、を備える。起動組立体は、先鋭端部を有する破断体と、起動体及びガス容器と連結された回転体と、を有する。起動体は、第１位置から第２位置に向けて移動するように構成され、回転体の回転を引き起こし、そして、ガス源を破断体の先鋭端部に向けて駆動させて加圧ガスを解放させる。
【００１２】
他の形態において、起動組立体は、回転体と連結された保持体をさらに有し、ガス容器は、保持体内に配設されており、起動体の軸方向移動により、回転体の回転が引き起こされ、そして、保持体及びガス源を破断体の先鋭端部に向けて駆動させる。起動組立体は、保持体と連結した第１ブラケットをさらに有し、第１ブラケットと保持体のとの間の連結により、保持体の付勢された移動を回転方向から長手方向に変換する。第１ブラケットは、破断体とガス源の少なくとも一部とを収容するための通路を有し、加圧ガスの流動は、ガス源から破断体を通って進行し、通路から出る。空圧式動力パックは、第２ブラケットと、第２ブラケット内に配設された弁と、をさらに備え、弁は、第１ブラケットの通路から出たガス流動を受ける。
【００１３】
さらに、起動体は、第１部材を有し、回転体は、第１部材に係合するように構成された第２部材を有する。第１部材は、起動体が第１位置から第２位置へ移動する間に第２部材と相互作用して回転体を回転させるように構成されている。一形態において、第１部材は、起動体の内面に配設されており、第２部材は、回転体の外面に配設されている。別の形態において、第１突起は、起動体の外面に配設されており、第１舌部は、回転体の内面に配設されている。
【００１４】
また、回転体は、第３部材を有し、保持体は、第３部材に係合するように構成された第４部材を有し、第３部材は、回転体の回転中に第４部材と相互作用してガス源を駆動させるように構成されている。他の実施形態において、回転体は、第１固定部材を有し、保持体は、第１固定部材に係合するように構成されており、起動体が第１位置から第２位置へ移動することによって回転される前に回転体の位置を維持する。
【００１５】
本発明の以下の詳細な説明では、添付の図面を参照する。
【図面の簡単な説明】
【００１６】
【図１】本開示の第１実施形態にかかる例示的な薬剤送達デバイスを示す斜視図である。
【図２】本開示の第１実施形態にかかる例示的な薬剤送達デバイスを示す分解図である。
【図３】本開示の第１実施形態にかかる例示的な空圧式動力パックを示す斜視図である。
【図４】本開示の第１実施形態にかかる例示的な空圧式動力パックを示す分解図である。
【図５】本開示の第１実施形態にかかる第１及び第２回転体を示す斜視図である。
【図６】本開示の第１実施形態にかかる第１回転体、第２回転体ガス源保持体及び第１ブラケットを示す斜視図である。
【図７】ガス源、破断体、第２ブラケット及びプランジャ支持体を示す斜視図である。
【図８】ガス源、破断体、第２ブラケット及びプランジャ支持体を示す別の斜視図である。
【図９】ガス源、破断体、第２ブラケット、プランジャ支持体及びプランジャを示す斜視図である。
【図１０】本開示の第２実施形態にかかる例示的な薬剤送達デバイスを示す斜視図である。
【図１１】本開示の第２実施形態にかかる例示的な薬剤送達デバイスを示す分解図である。
【図１２】本開示の第２実施形態にかかる第２筐体部分、針シールド及び第１回転体を示す斜視図である。
【図１３】本開示の第２実施形態にかかる薬物送達デバイスの遠位端部を示す横断面図である。
【発明を実施するための形態】
【００１７】
以下の詳細な説明において、説明の一部を形成する添付の図面を参照する。状況が他の方法で指示しない限り、図面において、同様の参照符号は、主として、同様の構成部材を特定している。詳細な説明、図面及び特許請求の範囲で説明した例示的な実施形態は、限定することを意図していない。本明細書で示す主題の精神または範囲から逸脱することなく、他の実施形態を利用し得、他の変更をなし得る。すでに理解されることは、本明細書で全体として説明されかつ図面に示されているように、本開示の態様を広範囲の様々な構成で構成され、置換され、組み合わされ、分離され、設計され得ること、であり、これらすべてを本明細書に明確に検討する。
【００１８】
本開示にしたがった方法及びシステムは、プランジャを前方に推進しそれにより自動注射デバイスから薬剤を吐出させるための改善した方法及びシステムを有益に提供する。説明した方法及びシステムは、信頼性があり、直感的でユーザフレンドリーな薬物送達デバイスを提供し、この薬剤送達デバイスは、加圧ガスを使用して一用量の薬剤を吐出させる。さらに、説明した方法及びシステムは、プランジャを前方に推進させてそれにより薬剤を吐出するためのコスト効率の高い手段を提供し、ひいては、自動注射デバイスの製造コストを低減することを補助する。
【００１９】
図１は、全体として、例示的な薬物送達デバイスを示しており、この薬剤送達デバイスは、加圧ガスを使用して一用量の薬剤を送達する。特に、図１は、注射前の初期状態にある薬物送達デバイス１００を示す。さらに、図２は、注射前の初期状態にある薬物送達デバイス１００の構成部材の分解図を示す。
【００２０】
図１及び図２に示されるように、薬物送達デバイス１００は、主筐体１１０及び主筐体１１０内に配設された注射器１２０を有する。主筐体１１０は、第１筐体部分１１１及び第２筐体部分１１２を有する。第１及び第２筐体部分１１１、１１２は、２つの筐体部分１１１、１１２間の係合を提供するための対応する係合機構を有する。例示的な実施形態において、薬物送達デバイス１００の組立中において、第１及び第２筐体部分１１１、１１２は、互いに不可逆的に取り付けられる。しかしながら、他の実施形態において、筐体部分１１１、１１２は、同様に、互いに対して可逆的に取り付けられ得る。主筐体１１０を第１及び第２筐体部分１１１、１１２を備えるように示しているが、他の例において、主筐体１１０は、より多くのまたはより少ない部分を備え得る。例えば、例示的な実施形態において、主筐体１１０は、一体的な構成であり得る。図２を参照すると、注射器１２０は、薬剤を保持する注射器本体１２１と、針１２２と、針１２２を覆う第１及び第２針カバー１２３、１２４と、を有する。ピストンまたはストッパ（図示略）は、注射器本体１２１内に配設されている。残りの構成部材は、以下でさらに詳述する空圧式動力パック１３０の一部である。追加でまたはあるいは、注射器本体１２１内のピストン／ストッパ及びプランジャ１５０は、注射を完了すると主本体窓１１３（図１参照）から視認可能であり得る。このような例において、送達の終了は、ピストン及びプランジャ１５０が移動を停止していることによって示され得る。他の用量送達を完了したことを示すものは、同様に可能である。
【００２１】
図３及び図４を参照すると、薬物送達デバイス１００は、注射器１２０から針１２２を通して薬剤を吐出させるための空圧式動力パック１３０をさらに有する。空圧式動力パック１３０は、針シールド１４０と、プランジャ１５０と、プランジャストッパ１５２と、第１回転体１６０と、プランジャ支持体１７０と、第１ブラケット１８０と、オリフィス１８１と、破断体１８２と、ワッシャ１８３と、第２回転体２２０と、後側キャップ２３０と、を有する。この例において、第２筐体部分１１２は、この筐体部分の遠位端部において開口部（図示略）を有し、後側キャップ２３０は、第２筐体部分１１２の遠位端部と結合されて開口部を覆う。
【００２２】
図３に示すように、針シールド１４０の遠位端部は、第１回転体１６０の近位端部と接触している。このため、針シールド１４０を注射場所に押し付けると、遠位方向の力は、針シールド１４０から第１回転体１６０に伝達され得る。この結果、針シールド１４０及び第１回転体１６０は、遠位方向で一緒に移動する。第１バネ１４１（図２に示す）は、第１筐体部分１１１の内面と針シールド１４０の内面との間に配置されている。第１筐体部分１１１は、移動不能なままとされ、針シールド１４０は、薬物送達デバイス１００の軸に沿って長手方向で移動可能である。このため、注射場所に当接して押し付けると、遠位方向で移動している針シールド１４０は、第１バネ１４１を圧縮する。このため、ユーザが薬物送達デバイス１００を注射場所から取り外すと、その後、第１バネ１４１は、拡張して近位方向で針シールド１４０を移動させる。他方、第２バネ２００は、第１回転体１６０の遠位端部と後側キャップ２３０の内面との間に配置されている。第２バネ２００は、針シールド１４０から第１回転体１６０にかかる力の少なくとも一部を吸収するために使用されている。このため、第１バネ１４１及び第２バネ２００は、協働し、落下または輸送のようなランダムな事象中に形成された力が針シールド１４０及び第１回転体１６０双方を遠位方向で押して空圧式動力パックを偶発的に作動させるのに十分なほど強くないようにすることを保証する。
【００２３】
図４に示すように、ガス源保持体２１１は、管状形状を有しており、ガス源保持体の内部空間は、ガス源２１０を収容するために使用されている。この例において、ガス源２１０は、加圧ガスを格納してシール（図示略）を有する金属製容器であり、シールにある破断した開口部を通して加圧ガスを解放するために破断される。そして、ガス源保持体２１１は、管状第２回転体２２０の内部空間内に配置されている。ガス源保持体２１１は、図７に示すように、第１ブラケット１８０と連結されるものである。第１ブラケット１８０は、第１ブラケット１８０の遠位端部から延在する一対の腕体４００を有しており、一対の切欠部４１０は、これら腕体４００間に形成されている。他方、ガス源保持体２１１の近位端部の一部は、腕体４００を収容するために切り開かれている。同様に、上記切り開き部分の隣にあるガス源保持体２１１の突起は、切欠部４１０内に嵌合され得る。第１ブラケット１８０とガス源保持体２１１との間のこの構成により、ガス源保持体２１１が薬物送達デバイス１００の軸に対してほぼ長手方向でのみ移動し得ることを保証する。第１ブラケット１８０とガス源保持体２１１との間の相互作用を以下でさらに説明する。
【００２４】
加圧ガス源２１０は、プランジャ１５０を前方に推進させて注射器１２０内の薬剤を吐出させるのに適した任意の加圧ガス源であり得る。例示的な実施形態において、加圧ガスは、ＣＯ２、アルゴンまたは窒素である。他の例の加圧ガスも同様に可能である。さらに、例示的な実施形態において、加圧ガス源２１０は、５０ＰＳＩから３０００ＰＳＩの間の圧力まで加圧されたガスを収容する。しかしながら、他の例において、圧力は、６００ＰＳＩ未満または３０００ＰＳＩより大きくてもよい。例えば、別の例において、圧力は、５００ＰＳＩから６００ＰＳＩである。さらに別の例において、圧力は、３０００ＰＳＩから３５００ＰＳＩである。他の例の圧力も同様に可能である。
【００２５】
この例において、破断体１８２は、第２ブラケット１９０の首部内にある内部空間内に固定されている。ワッシャ１８３は、第１ブラケット１８０の内部空間内に配置され、ガス源２１０の首部を囲むために使用されており、ガス源２１０と気密係合を保証する。本明細書で使用されるように、「気密係合」は、用量送達処理中にシールを通してガスが漏洩することを防止するまたはほぼ防止するシールを提供する係合を意味する。用語「ほぼ」によって、これは、記載した特徴、パラメータまたは値が正確に達成される必要がなく、許容誤差、測定エラー、測定精度限界及び当業者に公知の他の要因を含む逸脱または変更が特性が提供しようとしている効果を排除しない量で生じ得ること、を意味する。同様に、第２ブラケット１９０の遠位側にある首部は、第１ブラケット１８０の近位部分と連結するように構成されている。
【００２６】
オリフィス１８１は、プランジャ支持体１７０の遠位部分にある内部空間内に配置されており、プランジャ支持体１７０との気密係合を保証するように構成されている。図９を参照。オリフィス１８１は、オリフィスの反対側にある近位及び遠位端部に各別にある２つの開口部を有しており、それにより、破断体１８２からの加圧ガスは、遠位端部にある開口部を通過し、オリフィスの近位端部にある開口部を通してオリフィス１８１から出得る。
【００２７】
プランジャストッパ１５２とプランジャ１５０の少なくとも一部とは、プランジャ支持体１７０内に配置されている。図９参照。プランジャストッパ１５２は、プランジャ１５０の遠位部分と連結されており、それにより、これらプランジャストッパ及びプランジャは、長手方向に沿って共に移動可能である。オリフィス１８１から出る加圧ガスは、プランジャストッパ１５２及びプランジャ１５２双方を押し、近位方向で移動させる。プランジャストッパ１５２は、同様に、プランジャ支持体１７０の少なくとも首部分の内面との気密係合を保証し、プランジャストッパ１５２を押す加圧ガスの漏洩を最小化する。
【００２８】
上記は、構成部材の概要及び構成部材間の相互作用である。以下、これら相互作用を図面を用いて詳述する。
【００２９】
ここで、針シールド１４０、第１回転体１６０及び第２回転体２２０間の相互作用を説明するために、図３及び図５を参照する。空圧式動力パック１３０を作動させる第１ステップは、針シールド１４０の近位端部を注射場所に押し付けることである。針シールド１４０は、第１筐体部分１１１内を長手方向で移動可能である。このため、注射場所からの反力は、針シールド１４０を押して遠位方向で移動させる。針シールド１４０が遠位方向で移動するにしたがって、針シールドの遠位端部は、第１回転体１６０の近位端部と接触し、同様に、第１回転体１６０を押して同様に遠位方向で移動させる。図３及び図５に示すように、第１回転体１６０は、第１回転体１６０の遠位端部の２つの両側部に配設された２対の第１突起１６１を有する。第１突起１６１は、第２筐体部分１１２の内面に配設された溝部（図示略）と連結するように構成されている。第１突起１６１及び対応する溝部は、長手方向に沿って延在しており、薬物送達デバイス１００の軸と平行である。これにより、第１回転体１６０は、針シールド１４０からの遠位方向の力によって回転されることが防止される。すなわち、針シールド１４０及び第１回転体１６０は、薬物送達デバイス１００の軸に関して長手方向で移動するように構成されている。
【００３０】
図５は、第１及び第２回転体１６０、２２０の斜視図を示す。図５に示すように、第１回転体１６０は、第１回転体１６０の遠位端部の内面に配設された一対の第２突起１６２さらに有する。他方、第２回転体２２０の一部は、切り開かれており、溝部２２１を形成し、第２突起１６２を収容する。溝部２２１は、薬物送達デバイス１００の軸に対して斜めになっており、第１回転体１６０の長手方向での移動中に第２突起１６２と接触するように構成された傾斜壁部２２２を有する。上述のように、遠位方向での針シールド１４０の移動は、同様に、第１回転体１６０を遠位方向で移動させる。同様に、第１回転体１６０の第１突起１６１と第２筐体部分１１２の内面との間の結合は、第１回転体１６０を長手方向でのみ移動させる。このため、第１回転体１６０が遠位方向で移動するにしたがって、第１回転体の第２突起１６２は、傾斜壁部２２２と衝突し、第２回転体２２０を図５において矢印で示すように反時計回り方向で回転させる。
【００３１】
図６は、第１回転体１６０、第２回転体２２０、ガス源保持体２１１及び第１ブラケット１８０を示す斜視図であり、第２回転体２２０は、第２回転体の内部構造を示すために透明にされている。図示のように、第２回転体２２０は、第２回転体の内面から延在する一対の第３突起２２３を有する。第３突起２２３それぞれは、第２回転体２２０を回転させる前にガス源保持体２１１と連結するように構成された固定部材２２４を有する。ガス源保持体２１１は、第１回転体１６０によって回転される前に第２回転体２２０と連結するために、固定部材２２４を収容するように構成されている。ガス源保持体２１１は、同様に、第３突起２２３に対応する一対の傾斜勾配部２１３を有する。第２回転体２２０を回転させる前に、第３突起２２３は、傾斜勾配部２１３に単に載置されており、一方で、固定部材２２４は、間隙２１２内に嵌合されている。しかしながら、第１回転体１６０が第２回転体２２０を反時計回り方向で回転させるにしたがって、固定部材２２４は、間隙２１２から連結解除する。同様に、第３突起２２３は、傾斜勾配部２１３との衝突を開始し、この処理中に、ガス源保持体２１１全体を押して近位方向で移動させる。
【００３２】
上述のように、第１回転体１６０の切欠部４１０（図７に示す）は、第２回転体２２０の移動をほぼ長手方向に沿うように制限する。さらに、ガス源２１０は、ガス源保持体２１１内に配置されており、これら２つの構成部材は、同じ方向で共に移動する。したがって、第１回転体１６０の移動及び第２回転体２２０の移動は、結果として、近位方向で第２ブラケット１９０内で破断体１８２に向かうガス源２１０及びガス源保持体２１１の移動を引き起こす。図７が示すように、その後、破断体１８２は、ガス源２１０のシールを穿刺し、内部の加圧ガスを解放する。そして、加圧ガスは、管状破断体１８２の先鋭端部を通過し、反対側の端部にある開口部を通って出る。
【００３３】
図８は、ガス源２１０並びに第２ブラケット１９０内のオリフィス１８１及び破断体１８２を示す斜視図であり、第２ブラケット１９０は、第２ブラケットの内部構造を示すことを容易にするために透明にされている。破断体１８２は、第２ブラケット１９０の首部分１９１内に固定されており、首部分１９１との気密係合を保証する。他方において、オリフィス１８１は、第２ブラケット１９０の主部分１９２内に固定されており、同様に、主部分１９２との気密係合を保証する。図４、図８及び図９に示すように、オリフィス１８１は、２つの開口部を有しており、遠位端部にある一方の開口部は、破断体１８２から出た加圧ガスを受け、近位端部にある他方の開口部は、加圧ガスをオリフィス１８１から出すためのものである。開口部の寸法は、オリフィス１８１から出る間に発生するガスの圧力を調整するように調節され得る。この例において、オリフィス１８１の近位端部にある開口部は、遠位端部にある開口部よりも小さいが、これに限定されない。他の例において、オリフィス１８１の開口部は、プランジャ１５０を押す必要性に基づいてガスが形成する圧力を調整するために調節され得る。同様に、オリフィス１８１は、加圧ガスがオリフィス１８１を出てプランジャ１５０が押す流量を調整する。本実施形態において、オリフィス１８１は、流量をほぼ一定に維持するように構成されており、加圧ガスからの一定の力がプランジャ１５０を押すことを保証する。他の実施形態において、オリフィス１８１は、異なる力出力プロファイルを形成するために、変化した流量を生成するように構成され得る。
【００３４】
図９は、ガス源２１０、ワッシャ１８３、破断体１８２、オリフィス１８１、第２ブラケット１９０、プランジャ支持体１５１及びプランジャ１５０を示す斜視図であり、プランジャ支持体１５１及び第２ブラケット１９０は、これらプランジャ支持体及び第２ブラケットの内部構造を示すことを容易にするために透明にされている。図９において、ガス源２１０にあるシールは、破断体１８２によって穿刺されており／破断されており、ガス源２１０内の加圧ガスを解放する。ガスは、破断体１８２を通過し、そして、破断体１８２とプランジャ支持体１５１の首部分内にあるオリフィス１８１との間において第２ブラケット１９０内の空間に入る。オリフィス１８１の遠位端部にある開口部は、破断体１８２の開口部を向くように構成されており、それにより、破断体１８２を出た加圧ガスは、オリフィス１８１内に入り得る。そして、同じ加圧ガスは、近位端部にある開口部を通してオリフィス１８１から出て、プランジャストッパ１５２とオリフィス１８１との間の空間に入る。その後、加圧ガスは、プランジャ支持体１５１とプランジャ１５０との組合体を近位方向で押し続ける。この例において、プランジャ１５０の一端部は、プランジャストッパ１５２に連結されている一方、他端部は、注射器１２０の注射器本体１２１内にあるピストン／ストッパと接触するように構成されている。このため、加圧ガスがプランジャ１５０を押して近位方向で移動すると、プランジャ１５０は、ピストン／ストッパ１５２と接触し、その後同様に、ピストン／ストッパ１５２を押して近位方向で移動させる。そして、ピストン／ストッパ１５２のこの近位方向での移動は、注射器本体１２１内の薬剤を押し、針１２２を通過し、最終的に、薬剤送達のために注射場所に入る。
【００３５】
追加で、注射器１２０図を図２のこの例示的な実施形態において説明したが、注射器、アンプル、カートリッジ、包囲体など任意の適切なタイプの薬剤容器を開示した薬物送達デバイス１００で使用し得る。さらに、薬剤は、医療のために使用される任意の適切な物質であり得る。例示的な実施形態において、薬剤は、（一般にアドレナリンとして公知の）エピネフリンである。
【００３６】
例示的な実施形態において、開示した空圧式動力パックは、一定のまたはほぼ一定の力でプランジャを推進させるように構成され得る。一定のまたはほぼ一定の力でプランジャを推進させるように構成された空圧式動力パックを有する例示的な薬物送達デバイスを図１から図９を参照して説明する。
【００３７】
空圧式動力パック１３０は、任意の適切なほぼ一定の力で注射器１２０内のプランジャを前方へ推進させ得る。本明細書で述べたように、用語「ほぼ」によって、これは、記載した特徴、パラメータまたは値が正確に達成される必要がなく、許容誤差、測定エラー、測定精度限界及び当業者に公知の他の要因を含む逸脱または変更が特性が提供しようとしている効果を排除しない量で生じ得ること、を意味する。
【００３８】
図１０及び図１１は、本開示の別の実施形態にかかる薬剤送達デバイスを示す。特に、図１０は、注射前の初期状態にある薬物送達デバイス１００を示す。さらに、図１１は、注射前の初期状態にある薬物送達デバイス１００の構成部材の分解図を示す。
【００３９】
図１０及び図１１に示すように、薬物送達デバイス１００は、第１筐体部分１１１、第２筐体部分１１２及び第３筐体部分１１４を有する主筐体１１０を有する。第１及び第２筐体部分１１１、１１２は、２つの筐体部分１１１、１１２間の係合を提供するための対応する係合機構を有する。同様に、第２及び第３筐体部分１１２、１１４は、２つの筐体部分１１２、１１４間の係合を提供するための対応する係合機構を有する。例示的な実施形態において、薬物送達デバイス１００の組立中に、筐体部分１１１、１１２、１１４は、互いに不可逆的に取り付けられている。しかしながら、他の実施形態において、筐体部分１１１、１１２、１１４は、同様に、互いに可逆的に取り付けられ得る。薬物送達デバイス１００は、第１筐体部分１１１の近位端部を覆うキャップ１１５を有する。薬物送達デバイス１００は、同様に、キャップ１１５と連結するように構成され空圧式動力パック１３０が囲む注射器の針を覆う針シールドを取り外すための針シールド取外器を有する。
【００４０】
薬物送達デバイス１００は、同様に、第１実施形態における空圧式動力パックとほぼ同一である空圧式動力パック１３０を有する。この実施形態における空圧式動力パック１３０の構成部材は、第１実施形態における空圧式動力パック１３０の構成部材と機能的に同一である。このため、構成部材及びこれら構成部材の機能を詳細には説明しない。
【００４１】
図１２は、薬剤送達デバイスの斜視図を示し、第１筐体部分１１１は、取り外されており、第２筐体部分１１２は、図示を容易にするために透明にされている。本実施形態において、第１回転体１６０は、少なくとも１つの可撓性舌部１６３を有し、この舌部は、第１回転体１６０の近位端部に配設され、ロック溝部１６４を有する。他方、第２筐体部分１１２は、ロック突起１１７を有し、このロック突起は、第２筐体部分１１２の内面に配設されており、ロック溝部１６４に対応する。薬物送達デバイス１００を最終的に組み立てた後、ロック突起１１７は、ロック溝部１６４に嵌合して舌部１６３に係合する。このようにして、舌部１６３が径方向内側に撓んでロック突起１１７を係合解除させない限り、ロック突起１１７は、第１回転体１６０が遠位方向で移動されることを防止する。舌部１６３をロック突起１１７から係合解除させるために、ユーザは、針シールド１４０を注射場所に対して押し、針シールド１４０を遠位方向で移動させる必要がある。そして、針シールド１４０は、舌部１６３と相互作用し、舌部を径方向内側に撓ませてロック突起１１７を係合解除させ得る。いったん係合解除を完了すると、その後、針シールド１４０は、第１回転体１６０の近位端部に当接し、第２回転体２２０のその後の回転体のために第１回転体を遠位方向で移動させる。
【００４２】
図１３は、薬物送達デバイス１００の遠位端部の横断面図を示す。本実施形態において、薬物送達デバイス１００は、第３筐体部分１１４とガス源保持体２１１との間に配設された補助素子２４０を有する。補助素子２４０は、空圧式動力パック１３０の破断体（図示略）によってガス源２１０のシールを破断させるためにガス源保持体２１１を近位方向で押す必要がある追加の力を提供するように構成されている。本実施形態において、補助素子２４０は、バネであるが、ガス源保持体２１１を近位方向で押すための力を提供するように構成された他の公知の素子であり得る。さらに、薬物送達デバイス１００は、補助素子２４０の軸が長手方向でありかつ薬物送達デバイス１００の軸と平行であることを保証するために、第３筐体部分１１４の内面に配設された第１案内素子２４１と、ガス源保持体２１１に配設された第２案内素子２４２と、を有する。
【００４３】
例示的な実施形態において、プランジャを推進させるほぼ一定の力は、１０Ｎから１００Ｎ±１５Ｎの間の力の範囲にある任意のほぼ一定の力で推進される。さらに、本明細書で使用するように、Ｘニュートンのほぼ一定の力は、１０Ｎから１００Ｎ±１５Ｎの間の範囲にある任意の力を意味する。
【００４４】
有利には、開示した空圧式動力パックは、自動注射デバイス内でプランジャを前方へ推進させるためのコスト効率の高い手段を提供する。さらに、開示した実施形態にかかる空圧式動力パックは、同様に、ほぼ一定の力でプランジャを前方へ推進させるための低コストな手段を提供する。したがって、開示した空圧式動力パックは、自動注射デバイスを製造するコストを低減することを補助し得る。
【００４５】
図に示す例において、薬物送達デバイス１００は、可変ではない用量の薬剤を注射するように構成されている。しかしながら、他の実施形態において、薬物送達デバイスは、ユーザが可変の単一用量を選択することを可能とするように構成され得る。例えば、例示的な実施形態において、ユーザは、２つの異なる用量値、３つの異なる用量値、４つの異なる用量値などを選択できる。
【００４６】
図において、様々な係合機構は、薬物送達デバイスの１以上の構成部材間の係合を提供するために示されている。係合機構は、スナップロック、スナップ嵌合、形状嵌合、バヨネット、ルアーロック、ネジまたはこれら設計の組合せのような任意の適切な接続機構であり得る。他の設計も同様に可能である。
【００４７】
理解すべきことは、図示した構成部材が例のみを意図していること、である。他の例示的な実施形態において、より少ない構成部材、追加の構成部材及び／または代替の構成部材も同様に可能である。さらに、理解すべきことは、本開示の上述して示した実施形態が、非限定的な例とされていること、及び、これら実施形態を特許請求の範囲内で改変し得ること、である。
【００４８】
様々な態様及び実施形態を本明細書で開示したが、他の態様及び実施形態は、当業者に明らかである。本明細書で開示した様々な態様及び実施形態は、例示目的でありかつ限定することを意図しておらず、真の範囲は、以下の特許請求の範囲に資格を付与する均等物の全範囲と共に、このような特許請求の範囲が示す。同様に理解することは、本明細書で使用した専門用語が特有の実施形態のみを説明する目的であり、限定することを意図していないこと、である。
【符号の説明】
【００４９】
１００  薬物送達デバイス、１１０  主筐体、１２１  注射器本体（薬剤容器）、１２３  第１針カバー、１２４  第２針カバー、１３０  空圧式動力パック、１５０  プランジャ、１５２  プランジャストッパ、１６０  第１回転体、１６２  第２突起（第１部材）、１８０  第１ブラケット、１８２  管状破断体、１９０  第２ブラケット、２１０  加圧ガス源、２１１  ガス源保持体、２１２  間隙（第２固定部材）、２１３  傾斜勾配部（第４部材）、２２０  管状第２回転体、２２２  傾斜壁部（第２部材）、２２３  第３突起（第３部材）、２２４  固定部材（第１固定部材）
【図１】
2021525153.tif 000003
【図２】
2021525153.tif 000004
【図３】
2021525153.tif 000005
【図４】
2021525153.tif 000006
【図５】
2021525153.tif 000007
【図６】
2021525153.tif 000008
【図７】
2021525153.tif 000009
【図８】
2021525153.tif 000010
【図９】
2021525153.tif 000011
【図１０】
2021525153.tif 000012
【図１１】
2021525153.tif 000013
【図１２】
2021525153.tif 000014
【図１３】
2021525153.tif 000015
【国際調査報告】
2021525153.tif 000016
2021525153.tif 000017
2021525153.tif 000018